(57)【要約】【課題】  複写機能を提供する画像形成装置において、メモリフル発生時の対応策を分かりやすくユーザに伝える事ができる操作装置を提供する。【解決手段】  画像を入力する画像入力手段（１７０）と、  前記画像入力手段（１７０）で入力した画像を処理する画像処理手段（１３０）と、  前記画像処理手段（１３０）の出力を保持する画像保存手段（１４０）と、  前記画像保存手段（１４０）の画像を繰り返し画像出力手段（１９０）で出力することで複数部出力が可能な画像形成装置（１００）において、  画像保存手段（１４０）のメモリフルを検知するメモリフル検知手段（１０１）と、  メモリフル発生の主要因を分析する分析手段（１０１）と、  分析手段での分析結果を表示する表示手段（１１０）  を有する事を特徴とする画像形成装置（１００）。【選択図】  図１
2011120081.tif 000002
【特許請求の範囲】
【請求項１】
画像を入力する画像入力手段（１７０）と、
前記画像入力手段（１７０）で入力した画像を処理する画像処理手段（１３０）と、
前記画像処理手段（１３０）の出力を保持する画像保存手段（１４０）と、
前記画像保存手段（１４０）の画像を繰り返し画像出力手段（１９０）で出力することで複数部出力が可能な画像形成装置（１００）において、
画像保存手段（１４０）のメモリフルを検知するメモリフル検知手段（１０１）と、
メモリフル発生の主要因を分析する分析手段（１０１）と、
分析手段での分析結果を表示する表示手段（１１０）
を有する事を特徴とする画像形成装置（１００）。
【発明の詳細な説明】
【技術分野】
【０００１】
本発明は画像形成装置の操作部に関するものである。
【背景技術】
【０００２】
画像形成装置において複写（コピー）機能を実行した際に、メモリフルが発生し、最後まで複写処理を実行できない場合がある。その際の対策としてメモリフル時に無駄な出力物を出さない技術がある。（例えば、特許文献１参照）。
【先行技術文献】
【特許文献】
【０００３】
【特許文献１】特開２００８−３１１７３２号公報
【発明の概要】
【発明が解決しようとする課題】
【０００４】
しかしながら、従来技術はメモリフル時に無駄な出力物を出さない発明であり、メモリフル後にユーザに対してどのような対応を行えばいいのか解決策を提示できていないという課題があった。
【課題を解決するための手段】
【０００５】
上述した課題を解決するために、本発明は、
画像を入力する画像入力手段（１７０）と、
前記画像入力手段（１７０）で入力した画像を処理する画像処理手段（１３０）と、
前記画像処理手段（１３０）の出力を保持する画像保存手段（１４０）と、
前記画像保存手段（１４０）の画像を繰り返し画像出力手段（１９０）で出力することで複数部出力が可能な画像形成装置（１００）において、
画像保存手段（１４０）のメモリフルを検知するメモリフル検知手段（１０１）と、
メモリフル発生の主要因を分析する分析手段（１０１）と、
分析手段での分析結果を表示する表示手段（１１０）
を有する事を特徴とする。
【発明の効果】
【０００６】
本発明により、何が問題でメモリフルが発生したのかユーザに分かりやすく伝える事が出来る。またその解決策も提示でき利便性が向上する。
【図面の簡単な説明】
【０００７】
【図１】構成を示すブロック図である。
【図２】コピー機能の画面である。
【図３】メモリフル画面である。
【図４】ポップアップ通知画面である。
【図５】コピージョブの動作モード設定画面である。
【図６】画像読み取り前に実行するフローチャートである。
【図７】メモリフル検知後に実行するフローチャートである。
【発明を実施するための形態】
【０００８】
以下、本発明を実施するための最良の形態について図面を用いて説明する。
【実施例１】
【０００９】
図１は本発明第１実施例の構成を示すブロック図である。各ブロックはモジュールを示しており、ブロック間の矢印はデータもしくは指示の流れを示している。
【００１０】
図１において、１００は複写機である。１０１はＣＰＵであり、図1記載モジュールのプログラム実行を行う。１１０は操作部であり、ユーザへの情報通知を行ない、ユーザ指示を複写機内の各ブロックに伝える動作を行なう。１７０はスキャン部であり、原稿の読み込みを行ない、画像を後段モジュールに出力する。１３０はスキャン部１７０で読み取った画像データの画像処理を行う画像処理部である。１４０は画像保存部であり、画像処理部１３０で処理された画像およびその属性の蓄積を行なう。１９０は画像を印刷するプリント部である。本ブロック図では、スキャン部１７０およびプリント部１９０を複写機１００の内部にある構成としたが、それぞれもしくは両方とも外部にある構成でもよい。
【００１１】
図２は操作部１１０におけるコピー機能の画面である。３００はコピーの基本画面で５行から構成され、最初の１行目に現在の状態を表示する。２行目は複写倍率と選択されている給紙段情報を表示する。１行目と２行目の右端に大きく数字でコピー部数を表示する。３行目から５行目はコピージョブに指定可能な動作モード項目３０２を表示する。表示しきれない場合は、３０１スクロールバーを右端に表示する。
【００１２】
図３（Ａ）はメモリフル画面２００であり、複写機１００がコピージョブを実行した際に、メモリフルが発生した場合に表示する。はい２０１を選択すると画像保存部１４０に保存できた画像に関してプリントする。いいえ２０２を選択した場合、ジョブをキャンセルする。
【００１３】
図３（Ｂ）はメモリフル画面のもう一例である。メモリフルが面２１０は画像保存部に１ページも保存できなかった場合に表示される。閉じる２１１を選択する事でジョブをキャンセルする。
【００１４】
図４はメモリフル発生後にユーザにアナウンスを行うポップアップ通知画面２２０である。閉じる２２１を選択する事で、ポップアップ通知画面２２０を閉じる。
【００１５】
図５（Ａ）はコピージョブの動作モードを変更する際の１例である。コピー画面３１０において、上下矢印キー（操作部１１０に図示せず）で項目を移動し、選択された項目は反転表示する。ここでは原稿の種類３１１が反転表示されている。項目が反転表示された状態でＯＫキー（操作部１１０に図示せず）を押下することでその項目の設定変更が可能である。また、表示領域におさまりきらない長い文字列は流れ文字表示を行うことでユーザが文字列全体の確認を可能としている。
【００１６】
図５（Ｂ）は原稿の種類３１１を選択した際の表示例である。原稿の種類設定画面３２０において、現在選択されている項目が反転表示されている。ここでは文字／写真／地図（高速コピー）項目３２１が選択されている。
【００１７】
図５（Ｃ）はメモリフル発生後にユーザに有効な設定項目を伝える有効項目通知画面３３０である。２行目から５行目の表示エリア３３１にメモリフル発生確率を下げることができる設定項目を表示する。４項目より多い場合はスクロールバー３３２を表示し、ユーザに他にも設定項目があることを伝える。表示項目を選択する事で次に実行するジョブの動作モードの設定変更が可能である。
【００１８】
図６はスキャン部１７０が画像読み込みを実行する際に、実行するフローチャートである。
【００１９】
まず、S1100で画像保存部１４０に１ページ分の空きメモリが存在しているかチェックする。１ページ分の空きがある場合はS1101へ進み、ない場合はS1102へ進む。S1101ではスキャン部１７０で画像読み取りを実行し、このフローチャートを抜ける。S1102ではジョブ設定がソート出力かどうかの判断を行う。ソート出力の場合はS1104へ進み、非ソート出力の場合はS1103へ進む。S1103ではプリント部１９０で画像保存部１４０に蓄積されている画像が印刷され画像保存部１４０上のデータ削除を待つ。データ削除により１ページ分の空きが生じるとS1101に進み、スキャン部１７０で画像読み取りを実行し、このフローチャートを抜ける。一方、S1104ではメモリフル検知フラグをONにセットしてこのフローチャートを抜ける。
【００２０】
メモリーフラグ検知フラグがONの状態でフローチャートを抜けた場合、図３（A）もしくは図３（B）の画面を表示し、ユーザ指示を待つ。
【００２１】
図７は図３のいいえ２０２もしくは閉じる２１１が押下された場合に実行されるフローチャートである。
【００２２】
まず、S1000で変更推奨項目リストのクリアーを実行する。次にS1001で実行したジョブの読み取り解像度を確認する。解像度が低解像度の場合はS1003へ進み、高解像度の場合はS1002へ進む。S1002では変更推奨項目リストに速度優先の原稿種類を追加する。
【００２３】
S1003では濃度設定が標準値より薄いか確認する。薄い設定の場合はS1005へ進み、そうでない場合はS1004へ進む。S1004では変更推奨項目リストに薄い濃度設定を追加する。
【００２４】
S1005では両面出力設定がOFFか確認する。OFFの場合はS1007へ進み、ONの場合はS1006へ進む。S1006では変更推奨項目リストに両面設定OFFを追加する。
【００２５】
S1007では枠消し設定がONか確認する。ONの場合はS1009へ進み、OFFの場合はS1008へ進む。S1008では変更推奨項目リストに枠消し設定ONを追加する。
【００２６】
S1009ではこれまでに追加された変更推奨項目を図５（C）のように表示してフローチャートを抜ける。このフローチャートではメモリフル確率を減らす効果が有効な順に判断を実施したが、状況に応じてS1001、S1003、S1005、S1007の判断順番を入れ替えてもよい。
【００２７】
以上説明した内容により、何が問題でメモリフルが発生したのかユーザに分かりやすく伝える事が出来る。またその解決策も提示でき利便性が向上する。
【００２８】
なお、本実施例では図５（C）のように複数の設定項目を表示する場合を説明したが、複数項目を表示せず、図４のように１つの項目を表示し、閉じる２２１押下後に、コピー画面３１０で示しているように該当項目３１１が選択された状態に遷移してもよい。
【図１】
2011120081.tif 000003
【図２】
2011120081.tif 000004
【図３】
2011120081.tif 000005
【図４】
2011120081.tif 000006
【図５】
2011120081.tif 000007
【図６】
2011120081.tif 000008
【図７】
2011120081.tif 000009